(57)【特許請求の範囲】
【請求項１】
遊技制御を行うための制御用ＩＣを実装面に装着する遊技制御基板と、該遊技制御基板を内包する筐体とからなる遊技制御装置において、
前記筐体は、前記遊技制御基板のうち実装面とは反対面となる背面に対向し、当該筐体の内部を視認可能とする透明な背面板を有し、
前記遊技制御基板は、前記制御用ＩＣが実装された位置であって前記背面板に臨む位置に開口部を形成し、
前記背面板および開口部を透視して前記制御用ＩＣのうち前記背面板に対向する背面を視認可能としたことを特徴とする遊技制御装置。
【請求項２】
前記開口部に、前記遊技制御基板の実装面に設けられた実装面側配線パターンと前記遊技制御基板の背面に設けられた背面側配線パターンとを電気的に接続するスルーホール処理を施したことを特徴とする請求項１に記載の遊技制御装置。
【発明の詳細な説明】
【０００１】
【発明の属する技術分野】
本発明は、パチンコ遊技機、パチスロ遊技機、雀球遊技機、アレンジボールといった遊技制御を伴う遊技機に使用される遊技制御装置に関し、特に遊技制御基板に搭載される制御用ＩＣの不正な改竄を容易に発見できるようにした遊技制御装置に関する。
【０００２】
【従来の技術】
従来、パチンコ遊技機に代表される遊技球を使用した遊技機においては、遊技球を遊技領域内に発射し、この発射した遊技球を遊技盤上に形成された遊技領域内に導いて遊技を行なう。遊技領域内に導かれた遊技球は、流路を変化させながら流下し、遊技領域に設けた入賞口に入賞すると、所定の賞球が排出される。
そして、この遊技球が所定の入賞条件を満足したり、図柄合わせゲーム（可変表示ゲーム）で大当たりとなると、遊技者に対して利益乃至特典を付与する特別遊技を行わせる。
【０００３】
一方、パチスロ遊技機においては、所定の絵柄が設けられた回転ドラムを３列に並べて配置している。そして、コインを投入した後に回転ドラムを回転させ、回転状態にある各ドラムを遊技者の操作により所望の停止タイミングで順次停止させ、回転ドラムの絵柄が所定の絵柄（例えば７７７）で停止した場合を大当たりとしている。
このパチスロ遊技機における大当たりでも、上述したパチンコ遊技機と同様に、遊技者に対して利益乃至特典を付与する。
【０００４】
このように、遊技機においては、遊技中に所定の条件を満足した場合を大当たり状態として、遊技者に対して利益乃至特典を付与することが行われている。
そして、このような遊技は、遊技制御装置により制御されており、大当たり状態を生起する条件の判定もまた遊技制御装置によりなされている。
【０００５】
この遊技制御装置は、遊技制御を行うための遊技制御プログラム、各種設定値、また、音声及び画像データが記憶されたＲＯＭや、データを一時的に蓄えるＲＡＭなどにより構成される記憶手段と、遊技制御プログラムに従って制御動作を行うＣＰＵあるいは各種ゲートアレイなどにより構成される制御手段とを備えている。
従って、遊技機において、大当たりとなる条件は、これらの制御手段及び記憶手段に格納された制御プログラムや各種設定値などにより規定されており、予め定められた確率で大当たりとなるようになっている。
【０００６】
これらの制御手段及び記憶手段はＩＣ化（以下、制御用ＩＣという）されており、この制御用ＩＣが遊技制御基板上に実装されている。また、この遊技制御基板には、電源部やインタフェース部なども実装される。
【０００７】
このように制御手段や記憶手段などが実装された遊技制御基板は、周囲ノイズによる誤動作を減少させるために電磁シールド機能を有する筐体に収容されている。そして、この筐体内に収容されたものを遊技制御装置として、遊技機に取り付けている。
【０００８】
ところで、この遊技制御装置における遊技の制御は、上述したように制御用ＩＣ（制御手段並びに記憶手段）によりなされているが、この制御用ＩＣを改竄して不当に利益を得ようとする者が存在する。
例えば、大当たりの確率を規定の確率よりも高くした制御用ＩＣに交換する者がいる。
【０００９】
このような改竄された制御用ＩＣの発見を容易にするため、遊技制御基板を内包する筐体には透視部分を設けてあり、外部すなわち遊技制御基板の表面側（実装側）から制御用ＩＣを視認可能としている。
【００１０】
【発明が解決しようとする課題】
しかしながら、最近、改竄された制御用ＩＣ（以下、改竄ＩＣという）の表面を覆うように正規の制御用ＩＣを被せて両者を接合したものが横行している。より詳細には、正規の制御用ＩＣよりも十分に小さい改竄用ＩＣ等を、正規の制御用ＩＣの内側（腹の部分）において、この正規の制御用ＩＣに抱かせるように接合したものが横行している。
【００１１】
この場合、上述した透視部分を有する筐体を使用した場合には、改竄ＩＣが正規の制御用ＩＣの内側に抱かれた状態で隠されているので、表面側からは、正規の制御用ＩＣしか見えない。従って、改竄ＩＣを発見することが困難となっていた。
なお、遊技制御基板の背面側からは、この不透明な遊技制御基板自身が、改竄ＩＣを覆い隠してしまうので、改竄ＩＣを目視して確認することはできない。
【００１２】
本発明は、このような事情に鑑みてなされたもので、改竄ＩＣの発見を容易にすることができる遊技制御装置を提供することを目的としている。
【００１３】
【課題を解決するための手段】
本発明は、上記した目的を達成するためのものであり、請求項１記載の発明は、遊技制御を行うための制御用ＩＣを実装面に装着する遊技制御基板と、該遊技制御基板を内包する筐体とからなる遊技制御装置において、
前記筐体は、前記遊技制御基板のうち実装面とは反対面となる背面に対向し、当該筐体の内部を視認可能とする透明な背面板を有し、
前記遊技制御基板は、前記制御用ＩＣが実装された位置であって前記背面板に臨む位置に開口部を形成し、
前記背面板および開口部を透視して前記制御用ＩＣのうち前記背面板に対向する背面を視認可能としたことを特徴とする。
なお、制御用ＩＣは、遊技制御を管理する遊技制御用演算処理装置（所謂アミューズチップ）であってもよいし、あるいは、遊技制御を管理する遊技プログラムが格納された記憶媒体（ＲＯＭ）であってもよい。さらには、遊技制御用演算処理装置と記憶媒体とを単一に構成したものであってもよい。
【００１７】
請求項２記載の発明は、請求項１の構成に加えて、前記開口部に、前記遊技制御基板の実装面に設けられた実装面側配線パターンと前記遊技制御基板の背面に設けられた背面側配線パターンとを電気的に接続するスルーホール処理を施したことを特徴とする。
【００２１】
【発明の実施の形態】
以下、図面に基づいて、本発明の実施の形態を説明する。
なお、以下に説明する実施の形態では、代表的な遊技機としてパチンコ遊技機を例にとって説明を行う。
図１から図４は、本発明に係る遊技機の実施形態を示したものであり、図１はパチンコ遊技機１の裏機構を示す背面図、図２は役物制御装置を示す分解斜視図、図３は役物制御基板の構成を説明する正面図、図４は役物制御装置の背面図である。
【００２２】
本発明に係るパチンコ遊技機１は、図１に示すように、機枠２により囲われている。そして、背面側の上部には、遊技に使用する遊技球を貯留するための球貯留タンク３を設けてある。この球貯留タンク３に貯留された遊技球は球排出路４を流下し、球技球を貯留するとともに賞球として排出された遊技球を受け入れるための上皿（図示せず）に排出される。
【００２３】
この球排出路４の下部には、排出制御装置５が設けられている。排出制御装置５は、上述した遊技球の排出を制御するもので、排出する遊技球の個数を制御したりする。
なお、この排出制御装置５は、パチンコ遊技機１の背面に設けられた裏機構盤１０を介して取り付けられている。この裏機構盤１０は、この排出制御装置５を初めとするパチンコ遊技機１の背面側に取り付けられる各種機構の取付ベースとなるものである。
【００２４】
排出制御装置５の左部には役物制御装置６を設けてある。この役物制御装置６は、遊技制御装置として機能するもので、表面側に位置する遊技盤に設けられた入賞装置や可変表示装置など各種の役物（図示せず）の制御、遊技中のＢＧＭ及びメッセージの出力、大当たり状態の判定並びに遊技者に対する利益乃至特典の付与動作の制御といった、パチンコ遊技機１における遊技に関する制御を行っている。
【００２５】
この役物制御装置６は、裏機構盤１０に対して止着部材９により取り付けられている。この止着部材９は、例えば、先端に開放可能な脚部が形成された筒体を有し、この筒体の中心孔に操作に応じて出没可能な軸部を挿通して、この軸部の出没に応じて、脚部を開いたり閉じたりするものである。
そして、裏機構盤１０から立設されたボスに、この止着部材９の脚部を挿入し、軸部を出没させることで、ワンタッチで着脱可能に取り付けられている。
【００２６】
なお、この役物制御装置６と他の機構、例えば、排出制御装置５や後述する表示制御装置７などとは、コネクタケーブルを介して電気的に接続されているが、このコネクタケーブルは、長さに余裕を持たせてあるので、止着部材９を操作して役物制御装置６を取り外した場合に、この役物制御装置６の背面側を容易に確認できるようになっている。
【００２７】
この役物制御装置６の上部には、表示制御装置７が設けてある。この表示制御装置７は、パチンコ遊技機１においてなされる可変表示ゲームの表示機構を制御するものである。
【００２８】
また、この役物制御装置６の下部には、発射制御装置８が設けてある。この発射制御装置８は、表面側右下部に設けた発射操作ハンドル（図示せず）と電気的に連絡して、上皿に貯留された遊技球の発射制御動作を行う。
【００２９】
次に、本発明の要部を構成する役物制御装置（遊技制御装置）６について説明する。
この役物制御装置６は、図２に示すように、表面側筐体１１と、この表面側筐体１１の背面側開口部を塞ぎ、役物制御装置６における筐体を形成する背面側筐体１５と、表面側筐体１１と背面側筐体１５とにより形成された筐体に内包される役物制御基板１８とから概略構成されている。
【００３０】
表面側筐体１１は、方形状の枠で構成された表面枠１２と、この表面枠１２の前方側開口部を背面側から塞ぐように配設され、表面側の壁部となっている透明な表板１３とから構成されている。要するに、外部から内部を透視できる透視部を備えている。
そして、表面枠１２は、防錆加工された鋼板などで構成されており導電性を有している。また、表板１３は透明な樹脂などにより構成されている。
【００３１】
また、表板１３には、この表板１３の背面側（即ち筐体の内部側に相当）から確率変動部１４が取り付けられている。この確率変動部１４は、大当たり確率を変動させるために設けたもので、仕様上認められた複数の確率が専用のキーにより選択可能となっている。なお、この確率変動部１４は、後述する役物制御基板１８に電気的に接続される。
【００３２】
一方、背面側筐体１５は、方形状の枠で構成された背面枠１６と、この背面枠１６の背面側開口部を表面側（即ち筐体の内部側に相当）から塞ぐように配設され、背面側の壁部となっている透明な背面板１７とから構成されている。要するに、外部から内部を透視できる透視部を備えている。
そして、上述したように、筐体に電磁シールド機能を付与するために、この背面枠１６は防錆加工された鋼板などで構成され導電性を持たせている。また、背面板１７については、透明な樹脂などで構成されている。
【００３３】
そして、表面側筐体１１と背面側筐体１５とによって構成される筐体においては、表面枠１２及び背面枠１６を、導電性を有する金属材料（鋼板）により構成しているので、筐体の本来の目的である電磁シールド機能を損なうことない。また、内部を透視可能とする壁部すなわち表板１３及び背面板１７を透明な樹脂により構成しているので、筐体内部に対する視認性を確保することができる。
【００３４】
さらに、筐体（表面側筐体１１及び背面側筐体１５）を軽量に構成することができるとともに破損をし難くすることができる。
【００３５】
なお、この筐体における壁部すなわち表板１３及び背面板１７に関し、これらの表板１３及び背面板１７を、内部が透視可能な程度に透明な導電性の樹脂により構成することもできる。
このように構成すると、筐体による電磁シールド機能を一層向上させることができる。
また、本実施形態おいては、表板１３及び背面板１７が、それぞれ対応する表面枠１２及び背面枠１６に対して筐体の内側から装着されているが、表板１３及び背面板１７を筐体の外側から装着するようにしてもよい。
【００３６】
役物制御基板１８は、遊技制御基板を構成しており、本実施形態においては、背面側筐体１５に対してねじ止めなどにより固定されている。
そして、この役物制御基板１８上には、ＣＰＵ及びＲＡＭを含んで構成され、遊技制御を管理する遊技制御用演算処理装置として機能するアミューズチップ１９（本発明における制御用ＩＣの一種）と、役物制御装置６が実行する各種制御の動作プログラムや各種の設定値、並びに音声データやＢＧＭのデータが格納された記憶媒体としてのＲＯＭ２０（本発明における制御用ＩＣの一種）と、スイッチング動作など各種動作を行うゲートアレイチップ２１とが実装されている。これらのアミューズチップ１９とＲＯＭ２０とが制御用ＩＣを構成する。
また、この役物制御基板１８上には、その他に、電源回路やコネクタなどの素子群が実装されている。
【００３７】
そして、この役物制御基板１８におけるアミューズチップ１９とＲＯＭ２０の実装位置には、図３に示すように、円形の開口部２５、開口部２６及び開口部２７が設けられている。
これらの開口部２５、開口部２６及び開口部２７は、いずれもアミューズチップ１９やＲＯＭ２０を役物制御装置６の背面側（即ち、アミューズチップ１９とＲＯＭ２０の実装面とは反対の面側に相当）より視認可能とするための視認可能領域を形成しており、開口部２５及び開口部２６がアミューズチップ１９の装着位置に対応した位置に開設され、開口部２７がＲＯＭ２０の装着位置に対応して開設されている。
【００３８】
これらの開口部２５、開口部２６及び開口部２７により、役物制御基板１８に実装されたアミューズチップ１９及びＲＯＭ２０（具体的には、アミューズチップ１９の背面及びＲＯＭ２０の背面）を、役物制御基板１８の背面側から視認することができる。
【００３９】
従って、改竄ＩＣを抱くように正規の制御用ＩＣ（アミューズチップ１９及びＲＯＭ２０に相当）を被せたものが役物制御基板１８に実装されていたとしても、これらの開口部２５、開口部２６及び開口部２７を通して、正規の制御用ＩＣに抱かれた改竄ＩＣ等を目視することができ、これにより正規の制御用ＩＣで覆い隠された不当な改竄ＩＣを容易に発見することができる。
【００４０】
なお、これらの開口部２５、開口部２６及び開口部２７に関し、各開口部２５、開口部２６及び開口部２７の開口内縁に、役物制御基板１８の表面（アミューズチップ１９やＲＯＭ２０などの実装面側）に形成された表面側配線パターン（本発明における実装面側配線パターンに相当）と背面（アミューズチップ１９やＲＯＭ２０などが実装されていない面側）に形成された背面側配線パターンとを電気的に接続するスルーホールメッキ（スルーホール処理）を施してもよい。
【００４１】
そして、このスルーホールメッキを施した場合には、ノイズの発生頻度が高い環境下にある役物制御基板１８のノイズ処理や高密度実装を、このスルーホールメッキにより緩和することができ、役物制御基板１８の限られた面積を有効に使用することができる。
【００４２】
そして、役物制御基板１８が筐体に内包された状態においても、図４に示すように、背面枠１６の背面側の開口部に配設された透明な背面板１７から、開口部２５、開口部２６及び開口部２７が臨み、これらの背面板１７、開口部２５、開口部２６及び開口部２７を透視して改竄ＩＣを容易に発見することができる。
【００４３】
なお、上述した実施形態においては、役物制御基板１８に形成する視認可能領域を円形の開口部２５、開口部２６及び開口部２７としたが、開口部の形状については、任意に選択可能であり、例えば方形状や長円カプセル状としてもよい。
【００４４】
また、この視認可能領域については、開口部に限定されるものではない。例えば、透明ガラスに導電パターンを形成したいわゆるガラス基板を用い、アミューズチップ１９及びＲＯＭ２０の装着領域をこのガラス基板に置き換えてもよい。但し、本実施形態の如く、この視認可能領域を開口部２５、開口部２６及び開口部２７により形成した場合には、構成が簡単であると同時に加工が容易となり、基板を安価に構成することができる。
【００４５】
同様に、アクリル板など透明な樹脂板に導電パターンを形成して透明基板を作製し、役物制御基板１８としてこの透明基板を用いるようにしてもよい。このように、役物制御基板１８の全域を視認可能領域とすることもできる。
【００４６】
また、上述した実施形態における制御用ＩＣは、アミューズチップ１９及びＲＯＭ２０がそれぞれ別個の制御用ＩＣとなっていたが、アミューズチップ１９とＲＯＭ２０とを単一の制御用ＩＣで構成したものについても本発明は適用できる。
【００４７】
なお、以上の説明においては、パチンコ遊技機を例に挙げて説明したが、パチスロ遊技機、雀球遊技機、アレンジボールなどの遊技機にも本発明は有用である。
【００４８】
【発明の効果】
以上の説明から明らかなように、本発明によれば、以下の効果を奏する。
請求項１の発明によれば、遊技制御を行うための制御用ＩＣを実装面に装着する遊技制御基板と、該遊技制御基板を内包する筐体とからなる遊技制御装置において、前記筐体は、前記遊技制御基板のうち実装面とは反対面となる背面に対向し、当該筐体の内部を視認可能とする透明な背面板を有し、前記遊技制御基板は、前記制御用ＩＣが実装された位置であって前記背面板に臨む位置に開口部を形成し、前記背面板および開口部を透視して前記制御用ＩＣのうち前記背面板に対向する背面を視認可能としたので、開口部を通して、制御用ＩＣを基板の背面側より視認することができる。従って、正規な制御用ＩＣに抱かせることにより改竄ＩＣ（すなわち不正な制御用ＩＣ）を覆い隠す不正行為が行われても、この不正な制御用ＩＣを容易に発見することができる。
【００５２】
請求項２の発明によれば、前記開口部に、前記遊技制御基板の実装面に設けられた実装面側配線パターンと前記遊技制御基板の背面に設けられた背面側配線パターンとを電気的に接続するスルーホール処理を施したので、ノイズの発生頻度が高い環境下にある遊技制御基板のノイズ処理や高密度実装を、このスルーホールメッキにより緩和することができ、遊技制御基板の限られた面積を有効に使用することができる。
【図面の簡単な説明】
【図１】パチンコ遊技機の裏機構を示す背面図である。
【図２】役物制御装置を示す分解斜視図である。
【図３】役物制御基板の構成を説明する正面図である。
【図４】役物制御装置の背面図である。
【符号の説明】
１    パチンコ遊技機
２    機枠
３    球貯留タンク
４    球排出路
５    排出制御装置
６    役物制御装置
７    表示制御装置
８    発射制御装置
９    止着部材
１０  裏機構盤
１１  表面側筐体
１２  表面枠
１３  表板
１４  確率変動部
１５  背面側筐体
１６  背面枠
１７  背面板
１８  役物制御基板
１９  アミューズチップ
２０  ＲＯＭ
２１  ゲートアレイチップ
２５  開口部
２６  開口部
２７  開口部
【図１】
0004001396.tif 000002
【図２】
0004001396.tif 000003
【図３】
0004001396.tif 000004
【図４】
0004001396.tif 000005